(57)【要約】      （修正有）【課題】用水の排水を行いながら、異物が排水枡内に流入することを防止する構造がシンプルで製作が容易な排水枡用スクリーンを提供する。【解決手段】排水枡用スクリーン１は、排水枡の左右の開口壁間に取り付けられる固定板５，９と、固定板５，９間上で一端が回動可能に設けられ、開口壁間を閉塞する閉塞位置と、開口壁間を開放する開放位置との間で揺動可能なスクリーン２と、を含む。スクリーン２は、複数の棒材が所定の間隔で並設されており、両端が開口壁に係止する長さのストッパ棒３が設けられ、後端には両端が開口壁間より全長が短い円筒４が設けられている。この円筒４の一方の端部にピン６の先端が挿入されており、他方の端部にはピン１０の先端が挿入されている。【選択図】図１
0003202757.tif 000002
【実用新案登録請求の範囲】
【請求項１】
排水枡に取り付けて、異物が前記排水枡内に流入することを防止する排水枡用スクリーンであって、
前記排水枡の左右の開口壁間に取り付けられる固定板と、当該固定板間上で一端が回動可能に設けられ、前記開口壁間を閉塞する閉塞位置と、前記開口壁間を開放する開放位置との間で揺動可能なスクリーンと、を含んでなることを特徴とする排水枡用スクリーン。
【請求項２】
前記固定板間には、前記固定板間の幅を調整可能とする取付幅調整機構が設けられてなることを特徴とする請求項１に記載の排水枡用スクリーン。
【考案の詳細な説明】
【技術分野】
【０００１】
本考案は、水田や農道等の用水路に設置し、排水枡に用水と共に異物が流入することを防止する排水枡用スクリーンに関する。
【背景技術】
【０００２】
従来より、水位調整を行う排水枡としては、水田に供給された用水を排水する排水管を備えたものが知られている（特許文献１）。
【先行技術文献】
【特許文献】
【０００３】
【特許文献１】特開２０１１−２０５９４１号公報
【考案の概要】
【考案が解決しようとする課題】
【０００４】
しかしながら、このような排水枡では、排水口が開口した状態で用水が流入することから、用水と共に異物が流入すると排水管が異物で塞がれてしまい、排水が困難になるという問題があった。
【０００５】
そこで、本考案の目的は、上記従来の排水枡の問題点を解消し、用水の排水を行いながら、異物が排水枡内に流入することを防止する排水枡用スクリーンを提供することにある。
【課題を解決するための手段】
【０００６】
本考案のうち、請求項１に記載された考案は、排水枡に取り付けて、異物が前記排水枡内に流入することを防止する排水枡用スクリーンであって、
前記排水枡の左右の開口壁間に取り付けられる固定板と、当該固定板間上で一端が回動可能に設けられ、前記開口壁間を閉塞する閉塞位置と、前記開口壁間を開放する開放位置との間で揺動可能なスクリーンと、を含んでなることを特徴とするものである。
【０００７】
請求項２に記載された考案は、請求項１に記載された考案に加え、前記固定板間には、前記固定板間の幅を調整する取付幅調整機構が設けられてなることを特徴とするものである。
【考案の効果】
【０００８】
請求項１に記載された考案によれば、用水の排水を行いながら異物が排水枡内に流入することを防止する。また、構造がシンプルであることから製作が容易であり、安価に製作することが可能である。他にも、スクリーンに堆積した異物を除去した後、繰り返して使用することが可能である。
【０００９】
請求項２に記載された考案によれば、様々な大きさの排水枡に取り付けることが可能である。
【図面の簡単な説明】
【００１０】
【図１】排水枡用スクリーンを示す説明図である。
【図２】（ａ）は排水枡に排水枡用スクリーンを取り付けた状態を示し、（ｂ）は排水枡用スクリーンが回転した状態を示す説明図である。
【図３】排水枡を用水路に設置した状態を示す説明図である。
【図４】（ａ）は図２（ａ）のＡ−Ａ断面を示し、（ｂ）は図２（ｂ）のＢ−Ｂ断面を示す説明図である。
【図５】（ａ）は排水枡用スクリーンの変更例の断面を示し、（ｂ）はスクリーンが回転した状態の断面を示す説明図である。
【図６】（ａ）〜（ｃ）は排水枡用スクリーンの変更例を示す説明図である。
【考案を実施するための形態】
【００１１】
以下、本考案の排水枡用スクリーンの一実施形態について、図面に基づいて詳細に説明する。
図１は、排水枡用スクリーンを示す説明図である。図２は、排水枡に排水枡用スクリーンを取り付けた状態を示す説明図である。図３は、排水枡を用水路に設置した状態を示す説明図である。図４は、排水枡用スクリーンが取り付けられた排水枡の断面を示す説明図である。
【００１２】
先ず初めに、図２（ａ）に示すように、排水枡用スクリーン１は、排水枡２０の開口壁２１，２３間に取り付け、スクリーン２で異物が排水枡２０内に流入することを防止するものである。
そして、図１に示すように、この排水枡用スクリーン１の両端には、Ｌ字状の固定板５，９が設けられている。開口壁２１側に取り付けられる固定板５には、ピン６とシャフト８とが内側に向かって突出するように設けられており、開口壁２３側に取り付けられる固定板９には、ピン１０とシャフト１１とが内側に向かって突出するように設けられている。更に、シャフト８の先端には、ターンバックル７の一方の端部が螺合されており、シャフト１１の先端には、ターンバックル７の他方の端部が螺合されている。
【００１３】
次に、スクリーン２は、複数の棒材が所定の間隔で並設されており、両端が開口壁２１，２３に係止する長さのストッパ棒３が設けられ、後端には両端が開口壁２１，２３間より全長が短い円筒４が設けられている。この円筒４の一方の端部にはピン６の先端が挿入されており、他方の端部にはピン１０の先端が挿入されている。
【００１４】
他にも、図２（ｂ）に示すように、排水枡２０は、前方の開口部から内部に用水が流入して排水を行うもので、開口壁２１の内壁には溝２２が鉛直方向に設けられており、開口壁２３の内壁には、後述する溝２４が同様に鉛直方向に設けられている。そして、図３（ａ）及び図４（ａ）に示すように、溝２２，２４間には、用水が所定の水位まで上昇したときに排水枡２０内に流入させることを可能とするために、複数の壁体２５，２５・・を横に倒した状態で積み上げ可能な構造としている。
【００１５】
このようにして構成される排水枡用スクリーン１の排水枡２０への取り付けは、以下のように行われる。
先ず初めに、図２（ａ）に示すスクリーン２を矢印が示す方向に回転して、固定板５を、図２（ｂ）に示す排水枡２０の開口壁２１の斜面に設置する。そして、固定板５，９間の幅が、開口壁２１，２３間の幅と同じ幅となるように、ターンバックル７を回転して調整する。より具体的には、ターンバックル７の両端がシャフト８，１１にそれぞれ螺合しており、この両端のタップは左右で回転方向が異なることから、ターンバックル７を回転すると、両端に螺合するシャフト８，１１が、左右で異なる方向に移動する構造である。従って、シャフト８には固定板５が、シャフト１１には固定板９が突出するように設けられていることから、固定板５，９もこれに従って左右に移動することとなる。それ故、ターンバックル７を回転すると、固定板５が開口壁２１に当接する一方、固定板９は開口壁２３に当接し、排水枡用スクリーン１が排水枡２０に取り付けられる状態となる。このターンバックル７が、本発明の取付幅調整機構である。
【００１６】
次に、図２（ｂ）の矢印が示す方向にスクリーン２を回転すると、図２（ａ）に示すように、スクリーン２先端に設けられるストッパ棒３の両端が開口壁２１，２３に当接し、排水枡２０に排水枡用スクリーン１が取り付けられて、開口壁２１，２３の斜面間がスクリーン２で覆われた状態となる。
【００１７】
そして、図３に示すように、この排水枡用スクリーン１が取り付けられた状態の排水枡２０を、水田や農道等の用水路４０に設置すると、ストッパ棒３とスクリーン２の一部とが水面３０より下に配されることとなる。この状態では、図４（ａ）に示すように、排水枡２０内の溝２２，２４間に積み上げた壁体２５，２５・・より高い位置まで用水の水位が上昇しても、水面３０に浮遊する異物はスクリーン２で堰き止められ、排水枡２０内に用水のみ流入することが可能となる。
また、スクリーン２に異物が堆積した場合には、図４（ｂ）に示す矢印の方向にスクリーン２を回転し、スクリーン２を水面３０から引き揚げて異物を除去する。その後、スクリーン２を元の状態に戻すと、ストッパ棒３とスクリーン２の一部とが水面３０より下に配されることとなり、排水枡用スクリーン１を引き続き使用することが可能となる。
【００１８】
次に、排水枡用スクリーン１の排水枡２０からの取り外しは、以下のように行われる。
先ず初めに、図２（ａ）に示す状態から矢印の方向にスクリーン２を回転させる。
そして、固定板５，９を開口壁２１，２３に取り付けたときと反対の方向にターンバックル７を回転すると、両端に螺合されたシャフト８，１１が左右の開口壁２１，２３側から内側に向かって移動し、これに従って固定板５，９も内側に向かって移動することとなり、固定板５の開口壁２１への当接と、固定板９の開口壁２３への当接とが解除され、排水枡用スクリーン１を排水枡２０から取り外すことが可能となる。
【００１９】
上記の如く構成される排水枡用スクリーン１は、排水枡２０の左右の開口壁２１，２３間に取り付けられる固定板５，９と、固定板５，９間上で一端が回動可能に設けられ、開口壁２１，２３間を閉塞する閉塞位置と、開口壁２１，２３間を開放する開放位置との間で揺動可能なスクリーン２と、を含んでなることにより、用水の排水を行いながら異物が排水枡２０内に流入することを防止する。また、構造がシンプルであることから製作が容易であり、安価に製作することが可能である。他にも、スクリーン２に堆積した異物を除去した後、繰り返して使用することが可能である。
【００２０】
また、固定板５，９間には、固定板５，９間の幅を調整可能とするターンバックル７が設けられてなることにより、様々な大きさの排水枡２０に取り付けることが可能である。
【００２１】
なお、本考案にかかる排水枡用スクリーンの構成は、上記した実施の形態に何ら限定されるものではなく、本考案の趣旨を逸脱しない範囲で、固定板や回転軸の大きさや厚み、形状等を適宜変更することができる。
【００２２】
例えば、スクリーン２は、複数の棒材を並設した形状であるが、必ずしもこの形状である必要はなく、排水枡２０内に異物が流入することを防止し、用水のみを流下させることが可能な構造であれば、更に棒材を直交するように配置して格子状に形成しても良く、適宜変更可能である。
【００２３】
他にも、ターンバックル７の両端にシャフト８，１１が螺合する構造の他に、ターンバックル７内にバネ等の付勢手段を設けて、シャフト８，１１を内側から外側へ押し出す構造としても良く、排水枡２０の幅に関係なく、固定板５，９を取り付けることが可能な構造であれば良い。
【００２４】
また、図５（ａ）に示すように、排水枡用スクリーン５５は、排水口５１が内部に縦立した状態で設けられ、胴体部分が上下に伸縮して用水の水位を調整可能とする排水枡５０に使用しても良い。この場合、逆Ｌ型に形成したスクリーン５６で排水口５１を覆い、異物がこのスクリーン５６に堆積した時は、図５（ｂ）に示すように、スクリーン５６を矢印が示す方向に回転し、水面３０から引き揚げた状態で異物を除去する。その後、スクリーン５６を元の状態に戻せば、スクリーン５６の一部が水面３０より下に配されて、排水枡用スクリーン５５を繰り返して使用することが可能である。
【００２５】
また、図６（ａ）に示すように、排水枡用スクリーン１は、スクリーン２のストッパ棒３が、左右の開口壁２１，２３間よりも長さが短くなるようにしても良い。この場合、矢印が示す方向にスクリーン２を回転させると、図６（ｂ）に示すように、排水枡２０内の溝２２，２４間で垂下した状態となり、壁体２５，２５・・より高い位置まで用水の水位が上昇しても、水面に浮遊する異物がスクリーン２で堰き止められ、排水枡２０内に用水のみ流入することが可能となる。
他にも、図６（ｃ）に示すように、壁体２５，２５・・だけでなく、開口壁２１，２３の前面側の溝に壁体２５を配置し、この壁体２５にスクリーン２が当接する構造としても良い。この場合も同様に、水面に浮遊する異物がスクリーン２で堰き止められ、排水枡２０内に用水のみ流入することが可能となる。
【符号の説明】
【００２６】
１・・排水枡用スクリーン、２・・スクリーン、３・・ストッパ棒、４・・円筒、５・・固定板、６・・ピン、７・・ターンバックル、８・・シャフト、９・・固定板、１０・・ピン、１１・・シャフト、２０・・排水枡、２１・・開口壁、２２・・溝、２３・・開口壁、２４・・溝、２５・・壁体、３０・・水面、４０・・用水路、５０・・排水枡、５１・・排水口、５５・・排水枡用スクリーン、５６・・スクリーン。
【図１】
0003202757.tif 000003
【図２】
0003202757.tif 000004
【図３】
0003202757.tif 000005
【図４】
0003202757.tif 000006
【図５】
0003202757.tif 000007
【図６】
0003202757.tif 000008